(57)【特許請求の範囲】
【請求項１】
車両の室内の部材に取着される取着部を有し、持ち運びが可能な物品を支持する支持具において、前記取着部は、離隔して対向し、前記部材を挾持するための二つの挾持片と、該挾持片夫々の一縁部を連結し、前記各挾持片が離隔する方向への撓みを可能とした連結部、及び該連結部から前記各挾持片と反対方向へ延出され、且つ前記各挾持片が離隔する方向と同方向に離隔して対向し、該対向する方向へのつまみ操作によって前記連結部を撓ませるための二つの摘み部とを有し、前記各挾持片、連結部及び各摘み部は一体に成形されていることを特徴とする支持具。
【請求項２】
前記挾持片の一方は、前記連結部と反対側の縁部に抜止爪部を有する請求項１記載の支持具。
【請求項３】
持ち運びが可能な物品が載置される載置部と、前記二つの摘み部が嵌入される嵌入孔を有し、且つ前記載置部を前記取着部に結合する結合部とを有しており、前記二つの摘み部を前記嵌入孔に抜出しを可能に嵌入してある請求項１又は２記載の支持具。
【請求項４】
車両の室内の部材に取着される取着部を有し、持ち運びが可能な物品を支持する支持具において、前記取着部は、離隔して対向し、前記部材を挾持するための二つの挾持片と、該挾持片夫々の一縁部を連結し、前記各挾持片が離隔する方向への撓みを可能とした連結部、及び該連結部から前記各挾持片と反対方向へ延出され、且つ前記各挾持片が離隔する方向と同方向に離隔して対向し、該対向する方向へのつまみ操作によって前記連結部を撓ませるための二つの摘み部とを有しており、前記物品が載置される載置部と、前記二つの摘み部が嵌入される嵌入孔を有し、且つ前記載置部を前記取着部に結合する結合部とを備え、前記二つの摘み部を前記嵌入孔に抜出しを可能に嵌入してあり、前記二つの摘み部は中途に凹所を有し、前記結合部は、前記嵌入孔の内面に開口し、且つ前記凹所に係合すべき係合突部を有する係止孔を備えることを特徴とする支持具。
【発明の詳細な説明】
【技術分野】
【０００１】
本発明は車両の室内等に取着し、飲料容器、携帯電話、眼鏡ケース等の被支持物を支持するための支持具に関する。
【背景技術】
【０００２】
飲料容器等の被支持物を車室に支持する支持具は例えば特許文献１に記載されている。この支持具は、背凭れのヘッドレスト棒に外嵌される凹部及び該凹部を縮径させるボルトを備えており、ボルトを回し操作することにより凹部を縮径させ、ヘッドレスト棒に取着するように構成されている。また、空気吹出グリルに嵌込みにより挾持される一対の挾持片を有し、該挾持片を空気吹出グリルに嵌込むことにより取着するように構成された支持具も知られている。
【特許文献１】特許第３５２７９２５号公報
【発明の開示】
【発明が解決しようとする課題】
【０００３】
ところが、特許文献１にあっては、ボルトにより取着されるため、ボルトの締め加減が分かり難いし、また、車両の振動等によりボルトが弛緩し易いと言う問題があった。また、挾持片を有する支持具にあっては、挾持片による挾持力が強い場合は、取外し難く、挾持片による挾持力が弱い場合は、車両の振動等により外れ易いと言う問題があった。
【０００４】
本発明は斯かる事情に鑑みてなされたものであり、主たる目的は物体に外嵌される凹部と、該凹部を外方へ撓ませるための二つの摘み部を有する構成とすることにより、凹部による挾持力を大きくした場合においても簡易に取外すことができる支持具を提供することにある。
【０００５】
また、他の目的は凹部を略Ｕ字形とし、該凹部の開放縁に抜止爪部を設けることにより、摘みを操作しないことには取外すことができない支持具を提供することにある。
【０００６】
また、他の目的は被支持物が載置される載置部を取着部に結合する結合部に、二つの摘み部が嵌入される嵌入孔を設けることにより、隠蔽部材を殊更設けることなく摘み部を隠蔽することができる支持具を提供することにある。
【０００７】
また、他の目的は摘み部の中途に凹所を設け、該凹所に係合すべき係合突部を有する係止孔を結合部に設けることにより、載置部が不測に外れるのを防ぐことができる支持具を提供することにある。
【課題を解決するための手段】
【０００８】
第１発明に係る支持具は、車両の室内の部材に取着される取着部を有し、持ち運びが可能な物品を支持する支持具において、前記取着部は、離隔して対向し、前記部材を挾持するための二つの挾持片と、該挾持片夫々の一縁部を連結し、前記各挾持片が離隔する方向への撓みを可能とした連結部、及び該連結部から前記各挾持片と反対方向へ延出され、且つ前記各挾持片が離隔する方向と同方向に離隔して対向し、該対向する方向へのつまみ操作によって前記連結部を撓ませるための二つの摘み部とを有し、前記各挾持片、連結部及び各摘み部は一体に成形されていることを特徴とする。
【０００９】
第１発明にあっては、二つの摘み部をつまむことにより、二つの挾持片を離隔させることができるため、挾持片による挾持力を大きくし、車両の振動等により不測に外れないように取着した場合においても、摘み部をつまみ操作することにより、簡易に取外すことができる。
【００１０】
第２発明に係る支持具は、前記挾持片の一方は、前記連結部と反対側の縁部に抜止爪部を有することを特徴とする。
【００１１】
第２発明にあっては、挾持片を車両室内の部材に外嵌したとき、抜止爪部を前記部材に係止することができるため、支持具に比較的大きな外力が加わる場合においても挾持片の外れを防ぐことができる。また、二つの摘み部をつまむことにより、抜止爪部を外方へ移動させることができるため、挾持片の外嵌による取着及び取外し操作を容易にできる。
【００１２】
第３発明に係る支持具は、持ち運びが可能な物品が載置される載置部と、前記二つの摘み部が嵌入される嵌入孔を有し、且つ前記載置部を前記取着部に結合する結合部とを有しており、前記二つの摘み部を前記嵌入孔に抜出しを可能に嵌入してあることを特徴とする。
【００１３】
第３発明にあっては、二つの摘み部が嵌入孔に嵌入され、該嵌入孔により摘み部を隠蔽してあるため、摘み部が不測に操作されるのを確実に禁止することができる。また、二つの摘み部は嵌入孔に抜出しを可能に嵌入してあるため、結合部を取着部に対して移動させることにより、摘み部を嵌入孔から抜出すことができ、摘み部をつまみ操作することができる。
【００１４】
第４発明に係る支持具は、車両の室内の部材に取着される取着部を有し、持ち運びが可能な物品を支持する支持具において、前記取着部は、離隔して対向し、前記部材を挾持するための二つの挾持片と、該挾持片夫々の一縁部を連結し、前記各挾持片が離隔する方向への撓みを可能とした連結部、及び該連結部から前記各挾持片と反対方向へ延出され、且つ前記各挾持片が離隔する方向と同方向に離隔して対向し、該対向する方向へのつまみ操作によって前記連結部を撓ませるための二つの摘み部とを有しており、前記物品が載置される載置部と、前記二つの摘み部が嵌入される嵌入孔を有し、且つ前記載置部を前記取着部に結合する結合部とを備え、前記二つの摘み部を前記嵌入孔に抜出しを可能に嵌入してあり、前記二つの摘み部は中途に凹所を有し、前記結合部は、前記嵌入孔の内面に開口し、且つ前記凹所に係合すべき係合突部を有する係止孔を備えることを特徴とする。
【００１５】
第４発明にあっては、摘み部が嵌入孔に嵌入された後、摘み部に対して結合部を移動させることにより摘み部を係合孔に嵌め、係合突部を摘み部の凹所に係合させることができるため、摘み部の嵌入方向への抜出しを確実に禁止することができ、載置部に比較的大きな外力が加わる場合においても結合部の外れを防ぐことができ、持ち運びが可能な物品の支持状態を維持することができる。
【発明の効果】
【００１６】
第１発明によれば、凹部による挾持力を大きくし、車両の振動等により不測に外れないように取着した場合においても、摘み部をつまみ操作することにより、簡易に取外すことができる。
【００１７】
第２発明によれば、支持具に比較的大きな外力が加わる場合においても凹部の外れを防ぐことができ、しかも、二つの摘み部をつまむことにより抜止爪部を外方へ移動させることができ、凹部の外嵌による取着及び取外し操作を容易にできる。
【００１８】
第３発明によれば、摘み部を嵌入孔により隠蔽してあるため、摘み部が不測に操作されるのを確実に禁止することができ、しかも、結合部を取着部に対して移動させることにより、摘み部を嵌入孔から抜出すことができ、摘み部をつまみ操作することができる。
【００１９】
第４発明によれば、係合突部及び凹所により摘み部の嵌入方向への抜出しを確実に禁止することができ、載置部に比較的大きな外力が加わる場合においても結合部の外れを防ぐことができ、被支持物の支持状態を維持することができる。
【発明を実施するための最良の形態】
【００２０】
以下、本発明をその実施の形態を示す図面に基づいて詳述する。図１は本発明に係る支持具の構成を示す背面側の斜視図、図２は支持具の構成を示す正面側の斜視図、図３は支持具の取着部の構成を示す斜視図、図４は支持具の取着部の構成を示す側面図である。
【００２１】
図に示した支持具は車室の空気吹出グリルに取着される二つの取着部１，１と、飲料容器等の被支持物Ａが載置される載置部２と、該載置部２を取着部１に結合する結合部３とを備える。
【００２２】
取着部１，１は、図３及び図４に示すように、離隔して対向する二つの挾持片１１ａ，１１ｂ、及び該挾持片１１ａ，１１ｂ夫々の一縁部を連結し、前記各挾持片１１ａ，１１ｂが離隔する方向への撓みを可能とした連結部により略Ｕ字形をなす凹部１１と、該凹部１１の湾曲凸面部、換言すると前記連結部と一体に成形されており、つまみ操作によって凹部１１の中央連結部（以下中央部と称する）を外方へ撓ませるための二つの離隔した摘み部１２，１２とを備える。また、凹部１１の開放縁の一方、換言すれば一方の挾持片１１ａの先端には外向きに突出する案内部１１ｃが設けられており、凹部１１の開放縁の他方、換言すれば他方の挾持片１１ｂの先端には内向きに突出する抜止爪部１１ｄが設けられている。案内部１１ｃの内面及び抜止爪部１１ｄの外面は挾持片１１ａ，１１ｂに対して内方に傾斜している。
【００２３】
摘み部１２，１２は前記中央部から挾持片１１ａ，１１ｂと反対方向へ延出されており、該摘み部１２，１２を摘むことにより凹部１１の中央部が外方へ撓み、開口縁が離隔、換言すれば挾持片１１ａ，１１ｂが離隔して抜け止め爪部１１ｄが案内部１１ｃに対して離反するようになっている。摘み部１２，１２の中途には二つの凹所１２ａ，１２ａが設けられている。また、取着部１は合成樹脂材料により一体成形されている。
【００２４】
結合部３は二つの摘み部１２，１２が抜出しを可能に嵌入される二つの嵌入孔３１，３１と、夫々の嵌入孔３１，３１の内面に開口し、且つ二つの凹所１２ａ，１２ａに係合すべき二つの係合突部３２ａ，３２ａを有する二つの係止孔３２，３２とを一面に有し、掛止孔３３及び該掛止孔３３に臨む二つの台座部３４，３４と、載置部２に載置される被支持物Ａの移動を規制する規制部３５とを他面に有する合成樹脂製のブロック体からなる。
【００２５】
嵌入孔３１，３１は二つの摘み部１２，１２の外法寸法以上の容積を有する空洞からなる。係止孔３２，３２は摘み部１２，１２に対応する大きさの容積を有する空洞からなり、嵌入孔３１，３１に嵌入された摘み部１２，１２を係止孔３２，３２へ移動させることができ、且つこの移動により係合突部３２ａ，３２ａを凹所１２ａ，１２ａに係合させることができるようになっている。掛止孔３３は嵌入孔３１，３１の並置方向に貫通しており、台座部３４，３４は嵌入孔３１，３１と略平行の平坦面からなる。規制部３５は結合部３の他面に設けられた嵌合孔に嵌込みにより固定されている。
【００２６】
載置部２はアルミニウム線を成形してなり、略Ｃ字形をなす受止杆部２１と、該受止杆部２１の両端から平行に立上がる二つの立上杆部２２，２２と、該立上杆部２２，２２の上端から屈曲し、受止杆部２１とほぼ平行をなす二つの湾曲杆部２３，２３と、該湾曲杆部２３，２３の両端から屈曲し、掛止孔３３に枢支される枢軸部２４，２４とを有しており、枢軸部２４，２４を中心として回動させることができるようになっている。
【００２７】
以上のように構成された支持具は、載置部２の枢軸部２４，２４が結合部３の掛止孔３３に枢支されており、また、二つの取着部１，１の摘み部１２，１２が結合部３の係止孔３２，３２に嵌入され、係合突部３２ａ，３２ａが摘み部１２，１２の凹所１２ａ，１２ａに係合しており、取着部１，１に載置部２が結合されている。
【００２８】
支持具は例えば車室の空気吹出グリルに取着される。この取着は、取着部１，１の二つの挾持片１１ａ，１１ｂを空気吹出グリルに挿入し、一つのフィンを挾持する。このとき、可撓性を有する挾持片１１ａ，１１ｂの先端に設けられている案内部１１ｃ及び抜止爪部１１ｄは、挾持片１１ａ，１１ｂに対して傾斜しているため、空気吹出グリルに向けて押圧することにより案内部１１ｃ及び抜止爪部１１ｄを離隔させ、且つ挾持片１１ａ，１１ｂを撓ませつつ凹部１１をフィンに容易に外嵌することができ、抜止爪部１１ｄをフィンの後端に係止することができる。従って、挾持片１１ａ，１１ｂによる挾持力及び抜止爪部１１ｄの係止により支持具のガタつき及び抜出しを禁止することができる。
【００２９】
また、支持具を取外す場合、結合部３を取着部１，１に対して移動操作することにより摘み部１２，１２が係止孔３２，３２から嵌入孔３１，３１に移動し、摘み部１２，１２の係止孔３２，３２による係止を解除することができ、この状態で結合部３を引張ることにより摘み部１２，１２が嵌入孔３１，３１から抜出し、結合部３及び載置部２を取外すことができる。そして、摘み部１２，１２を摘むことにより凹部１１の中央部を外方へ撓ませつつ挾持片１１ａ，１１ｂの先端を離隔させ、抜止爪部１１ｄを外方へ移動させることができ、挾持片１１ａ，１１ｂによる挾持及び抜止爪部１１ｄによる係止を解除することができるため、摘み部１２，１２を摘んだ状態で取着部１，１を引張ることにより取着部１，１を簡易に取外すことができる。
【００３０】
尚、以上説明した実施の形態では、二つの取着部１，１を備える構成としたが、その他、取着部１，１は一つ又は三つ以上であってもよい。  また、載置部２を取着部１に結合する手段としてブロック体からなる結合部３を備える構成としたが、その他、結合部３をなくし、載置部２を取着部１に直接結合するように構成してもよく、結合手段及び載置部２の構成は特に制限されない。
また、本発明に係る支持具は、車室の空気吹出グリルと異なる物品に取着されてもよい。この場合、取着部１の凹部１１を物品に対応した形にする。
【図面の簡単な説明】
【００３１】
【図１】本発明に係る支持具の構成を示す背面側の斜視図である。
【図２】本発明に係る支持具の構成を示す正面側の斜視図である。
【図３】本発明に係る支持具の取着部の構成を示す斜視図である。
【図４】本発明に係る支持具の取着部の構成を示す側面図である。
【符号の説明】
【００３２】
１    取着部
１１  凹部
１２  摘み部
１２ａ  凹所
１１ｄ  抜止爪部
２    載置部
３    結合部
３１  嵌入孔
３２  係止孔
３２ａ  係合突部
【図１】
0004703313.tif 000002
【図２】
0004703313.tif 000003
【図３】
0004703313.tif 000004
【図４】
0004703313.tif 000005